(57)【特許請求の範囲】
【請求項１】
重量を計量する計量手段と、
カードに記憶されている情報を読み取る読み取り手段と、
上記計量手段の計量信号に基づいて車両に搭載された物品の重量を演算し、この物品の重量及び上記読み取り手段が読み取った上記カードの記憶情報に基づいて上記物品の重量に対応する料金を演算する演算手段と、
上記演算手段及び上記カードに設けた記憶手段とを、
有し、
この記憶手段は、金額を記憶することができ、予め纏まった金額を支払うことによってこの記憶手段には支払った金額が記憶され、
上記演算手段は、上記記憶手段に記憶されている最新の上記記憶されている金額から上記演算によって得られた上記重量に対応する料金を減算し、この減算値を上記記憶手段に新たな金額として記憶させ、上記演算手段は、上記演算手段の記憶手段の残金と上記カードの記憶手段の残金とが一致したときに、上記算出した減算値を上記演算手段及び上記カードの記憶手段に上記更新された金額として記憶させることを特徴とする車両積載物品計量装置。
【請求項２】
請求項１記載の車両積載物品計量装置において、上記物品をごみとし、前記カードに記憶されている記憶情報は、上記金額の他に、ゴミ処理依頼者に対するコード、車両番号、上記ごみの種類に応じて定めたごみの単位重量当たりの廃棄料金を含むことを特徴とする車両積載物品計量装置。
【発明の詳細な説明】
【０００１】
【発明の属する技術分野】
この発明は、例えばごみ処理場等に設けられる車両積載物品計量装置に関する。
【０００２】
【従来の技術】
従来の上記車両積載物品計量装置の一例として、トラックスケール用データ処理装置が特開平６−２４９７０２号公報に開示されている。この装置は、図６、図７に示すものである。この装置によると、トラック１がごみ２を積載して入口側トラックスケール３に乗ると、その全重量が検知され、この合計重量信号がコンピュータ２０に供給される。次に、トラック１の運転者が入口側操作ユニット７のパンチカード挿入口３２にパンチカード２６（図８参照）を挿入すると、この読み取り信号がコンピュータ２０に供給され、トラック１の車番や積載物のごみ２の種類などを読み取って記憶される。しかる後に、運転者は、パンチカード２６を受け取り、ごみ焼却炉９までトラック１を運転してごみ２を廃棄して、出口側トラックスケール１３上に進み、空のトラック１の重量を計量する。そして、運転者は、出口側操作ユニット３７のパンチカード挿入口３２にパンチカード２６を挿入すると、この読み取り信号はコンピュータ２０に供給されて、入口側トラックスケール３から受信したトラック１とごみ２の合計重量から出口側トラックスケール１３から受信したトラック１のみの重量を差し引いてごみ２の重量が演算される。そして、そのパンチカード２６から読み取ったごみ２の種類とごみ２の重量とに基づいて廃棄料金が演算され、この廃棄料金が表示部３３に表示される。運転者は、表示部３３に表示されている廃棄料金を紙幣挿入口４０及び硬貨挿入口４１に挿入して、パンチカード２６を受け取り、出口側トラックスケール１３から退場することができる。
【０００３】
このトラックスケール用データ処理装置によると、ごみ２の廃棄料金の徴収を無人で行うことができ、人件費の低減を図ることができる。
【０００４】
【発明が解決しようとする課題】
しかし、上記従来のトラックスケール用データ処理装置では、廃棄料金の徴収を料金徴収機により行っているので、この料金徴収機のコストが高く付くし、精密機械であるのでメンテナンスに手間が掛かるという問題がある。そして、現金を徴収しているので出口側操作ユニット３７から現金を回収し、現金の収支の確認を行う必要があり、その分の手間が掛かるという問題もある。
【０００５】
本発明は、コストが低く、メンテナンスが容易であり、現金の回収、及び収支の確認を行う必要がない車両積載物品計量装置を提供することを目的とする。
【０００６】
【課題を解決するための手段】
第１の発明に係る車両積載物品計量装置は、重量を計量する計量手段と、カードに記憶されている情報を読み取る読み取り手段と、上記計量手段の計量信号に基づいて車両に搭載された物品の重量を演算し、この物品の重量及び上記読み取り手段が読み取った上記カードの記憶情報に基づいて上記物品の重量に対応する料金を演算する演算手段と、上記演算手段及び上記カードに設けた記憶手段とを、有し、この記憶手段は、金額を記憶することができ、予め纏まった金額を支払うことによってこの記憶手段には支払った金額が記憶され、上記演算手段は、上記記憶手段に記憶されている最新の上記記憶されている金額から上記演算によって得られた上記重量に対応する料金を減算し、この減算値を上記記憶手段に新たな金額として記憶させるものである。上記演算手段は、上記演算手段の記憶手段の残金と上記カードの記憶手段の残金とが一致したときに、上記算出した減算値を上記演算手段及び上記カードの記憶手段に上記新たな金額として記憶させる。
【０００７】
第２の発明に係る車両積載物品計量装置は、第１の発明の車両積載物品計量装置において、上記物品をごみとし、前記カードに記憶されている記憶情報は、上記金額の他に、ゴミ処理依頼者に対するコード、車両番号、上記ごみの種類に応じて定めたごみの単位重量当たりの廃棄料金を含むものである。
【０００９】
本発明は、計量手段、読み取り手段、及び演算手段により車両に積載された物品の重量及びその物品に対する料金を演算することができる。
第１の発明によると、料金を支払う者が料金を受け取る者に対して例えば予め纏めて料金を支払っておき、その纏めて支払った料金を金額として記憶手段に記憶しておくことができる。そして、物品に対する料金をその都度記憶手段に記憶されている残った金額から差し引くことにより清算することができる。
【００１０】
第２の発明によると、第１の発明に係る車両積載物品計量装置をごみの廃棄料金の精算に使用したものであり、ごみを廃棄する際に現金の支払いを不要とすることができる。
【００１２】
【発明の実施の形態】
本発明に係る車両積載物品計量装置をごみ焼却炉へのごみ搬送用トラックの重量計量に適用した第１実施形態を各図を参照して説明する。この実施形態の車両積載物品計量装置は、図１に示すように、入口側計量器３、出口側計量器１３、入口側操作ユニット８、出口側操作ユニット３８、記憶部１０、カード１１、及び演算制御部１２を備えている。
【００１３】
入口側計量器３は、図６に示す従来の入口用トラックスケール３と対応して設けられており、入口用トラックスケール３と同等のものである。入口側計量器３は、ピット６内に設けられているロードセル５、・・・と、このロードセル５により支持されているトラック載置台４を備えている。
【００１４】
出口側計量器１３は、図６に示す出口用トラックスケール１３と対応して設けられており、出口用トラックスケール１３と同等のものである。出口側計量器１３は、ピット１６内に設けられているロードセル１５、・・・と、このロードセル１５により支持されているトラック載置台４を備えている。
【００１５】
入口側操作ユニット８は、図６に示す従来の入口側操作ユニット７と対応して設けられているものである。この入口側操作ユニット８は、図２（ｂ）に示すように、カード１１を挿入するためのカード挿入口８ａ、及びこのカード挿入口８ａに挿入されたカード１１に記憶されている情報を読み取るカードリーダ（図示せず）を有している。更に、入口側計量器３に進入、退場を許可する表示や演算制御部１２の処理中等を示す各種表示を行う表示灯８ｂ、及び各種メッセージを表示する表示部８ｃを備えている。
【００１６】
出口側操作ユニット３８は、図６に示す出口側操作ユニット３７と対応して設けられているものである。この出口側操作ユニット３８は、図２（ａ）に示すように、カード１１を挿入するためのカード挿入口３８ａや、このカード挿入口３８ａに挿入されたカード１１に記憶されている情報を読み取ったり、このカード１１に残金等の情報を書き込むためのカードリードライタ（図示せず）を有している。更に、出口側計量器１３に進入、退場を許可する表示や演算制御部１２の処理中等を示す各種表示を行う表示灯３８ｂ、各種メッセージを表示する表示部３８ｃ、及び廃棄料金、日付、ごみ重量等を印字するプリンタ３８ｄを備えている。
【００１７】
記憶部１０は、図１に示すように、演算制御部１２と接続しており、ごみ処理依頼者（ごみ搬入者）に対して夫々定められている各コード、各ごみ処理依頼者がごみ処理請負者（ごみ２を焼却する者）に対して予め支払われている料金、各ごみ処理依頼者が使用するトラック１の車番、ごみ２の種類ごとに定めた単位重量当たりの廃棄料金等の各種情報を記憶してあるし、その記憶している料金（金額）から廃棄料金を差し引いた残金等の新たな情報を記憶することができるものである。
【００１８】
カード１１は、磁気カード１１である。カード１１は、このカード１１を使用するごみ処理依頼者のコード、ごみ処理依頼者がごみ処理請負者に対して予め支払っている料金、このカード１１に対して定めたトラック１の車番等の各種情報を記憶してあるし、その記憶している料金から廃棄料金を差し引いた残金等の新たな情報を記憶することができるカード記憶部１１ａを備えている。
【００１９】
演算制御部１２は、例えばＣＰＵ（中央演算処理装置）により構成されており、記憶部１０に記憶されているプログラム（例えば図３に示すフローチャートで示す処理）に従って演算処理を行うことができる。つまり、入口側計量器３より送信されたごみ２とトラック１の合計重量から出口側計量器１３より送信されたトラック１の重量を減算してごみ２の重量を演算し、また、このごみ２の重量、入口側操作ユニット８で読み取ったカード記憶部１１ａに記憶されているごみ２の種類、及び記憶部１０に記憶されているごみの種類ごとに定めた単位重量当たりの廃棄料金の情報に基づいてそのごみ２の重量に対する廃棄料金を演算することができる。更に、記憶部１０に記憶されている金額（前回の残金）から廃棄料金を減算して今回の残金を演算する。そして、この今回の残金を記憶部１０に記憶すると共に、この今回の残金をカード１１のカード記憶部１１ａに記憶するように出口側操作ユニット３８に指令等を行う。なお、次回の廃棄料金は、記憶部１０に記憶された今回の残金から差し引かれて次回の残金が上記と同様にして記憶部１０とカード１１に記憶される。
【００２０】
また、演算制御部１２には、図１に示すように、表示部１４、プリンタ１７、キーボード１８が接続している。表示部１４は、キーボード１８の操作によって記憶部１０やカード１１のカード記憶部１１ａに記憶されている情報や記憶部１０やカード１１のカード記憶部１１ａに記憶させる情報等を表示させることができるものである。。プリンタ１７は、キーボード１８の操作によってこれら情報を印刷することができるものである。
【００２１】
次に、この車両積載物品計量装置の作用を図３に示すフローチャート及び図６を参照して説明する。まず、運転者がごみ２を積載したトラック１を入口側計量器３上に進入させて入口側操作ユニット８のカード挿入口８ａにカード１１を挿入する（Ｓ１００、Ｓ１０２）。すると、カードリーダがカード１１に記憶されている車番や積載物であるごみ２の種類等のカード１１に記憶されている情報を読み取ると共に、入口側計量器３がごみ２とトラック１の合計重量を計量して合計重量信号を生成し、これらカード情報及び合計重量信号を演算制御部１２に送信する（Ｓ１０４）。演算制御部１２は、この送信されたカード情報の車番が第２回目に送信されたものであり、第１回目のものが記憶部１０に記憶されているか否かを判定する（Ｓ１０６）。そして、この読み取った車番が第１回目に送信されたものであり、この車番が記憶部１０に記憶されておらずＮＯと判定した場合、つまり、受信した重量信号が第１回目の重量信号（ごみ２とトラック１の合計重量信号）でありＮＯと判定した場合は、演算制御部１２は、車番別に合計重量信号を記憶部１０に記憶する（Ｓ１０８）。
【００２２】
そして、運転者は、カード１１を受け取り、トラック１を入口側計量器３から退場させてごみ焼却炉９にごみ２を投入し（Ｓ１１０、Ｓ１１２）、しかる後に、ごみ２を積載していないトラック１を出口側計量器１３上に進入させて出口側操作ユニット３８のカード挿入口３８ａにカード１１を挿入する（Ｓ１００、Ｓ１０２）。すると、カードリードライタがカード１１に記憶されている車番やごみ２の種類等のカード情報を読み取ると共に、出口側計量器１３が空のトラック１の重量を計量して重量信号を生成し、これらカード情報及び重量信号を演算制御部１２に送信する（Ｓ１０４）。演算制御部１２は、この送信されたカード情報の車番が第２回目に送信されたものであり、第１回目のものが記憶部１０に記憶されているか否かを判定する（Ｓ１０６）。そして、この読み取った車番が記憶部１０に記憶されおりＹＥＳと判定した場合、つまり、受信した重量信号が第２回目の重量信号（空のトラック１の重量信号）でありＹＥＳと判定した場合は、演算制御部１２は、その車番と対に記憶されているごみ２とトラック２との合計重量信号から今回受信したトラック２のみの重量信号を減算してごみ２の重量を演算し（Ｓ１１４）、このごみ２の重量、ごみ２の種類、ごみ２の種類ごとに記憶されている廃棄料金からごみ２の廃棄料金を演算する（Ｓ１１６）。そして、カード１１のカード記憶部１１ａに記憶されている残金と演算制御部１２と接続する記憶部１０に記憶されている残金とが等しいか否かを判定する（Ｓ１１８）。この判定の目的は、例えばカード１１に記憶されている残金がカード１１の異常により、又はカード使用者（ごみ処理依頼者）の不正により書き換えられていないかどうかを確かめることである。両方の残金が互いに等しくＹＥＳと判定した場合は、次に、カード１１に記憶されている残金がごみ２の廃棄料金よりも多いか否かを判定し（Ｓ１２０）、残金が廃棄料金よりも多くＹＥＳと判定した場合は、前回の残金から廃棄料金を減算して今回の残金を演算する。すると、出口側操作ユニット３８のカードリードライタがこの今回の残金をカード１１と記憶部１０にの両方に記憶すると共に前回の残金をカード１１と記憶部１０の両方から消去する（Ｓ１２２）。しかる後に、カード１１を受け取りトラック１を出口側計量器１３から退場させることができる（Ｓ１２４）。このようにして図３の処理を順次繰り返して行うことができる。
【００２３】
ただし、ステップ１１８において、カード１１に記憶されている残金と記憶部１０に記憶されている残金とが等しくなくＮＯと判定した場合は残金が異常である旨の警報信号を演算制御部１２に出力する（Ｓ１２６）。演算制御部１２は、この警報信号を受信すると、その異常内容を記憶する。この異常内容は、ごみ処理請負者によって確認することができ、カード使用者であるごみ処理依頼者との間でその原因を追求することができる。
【００２４】
そして、ステップ１２０において、カード１１に記憶されている残金が廃棄料金よりも少なくＮＯと判定した場合は、残金不足である旨の信号を演算制御部１２に出力する（Ｓ１２８）。演算制御部１２は、この残金不足信号を受信すると、その内容を記憶する。この内容は、ごみ処理請負者によって確認することができ、カード使用者であるごみ処理依頼者から不足料金を徴収することができる。
【００２５】
上記実施形態に係る車両積載物品計量装置よると、ごみ処理依頼者は、ごみ処理請負者に対してごみの廃棄料金を予め纏めて支払うと、ごみ処理請負者がその纏めて支払われた料金を演算制御部１２と接続する記憶部１０、及びカード１１に記憶して、そのカード１１がごみ処理依頼者に渡される。ごみ処理依頼者は、ごみ２をごみ処理請負者の焼却場に持って行くと、その廃棄料金がカード１１に記憶されている金額から差し引かれる。従って、この車両積載物品計量装置には、料金徴収機が不要であるので、この装置のコストが低く、メンテナンスが容易であり、現金を回収したり、収支の確認を行う必要がないので人件費の低減を図ることができる。そして、ごみ２を積載したトラック１の運転者も現金を扱う必要がなく、ごみ処理依頼者側にとっても現金の取扱が不要となる。
【００２６】
次に、第２実施形態を説明する。第１実施形態と第２実施形態とが相違する点は、第１実施形態では、図１に示すように、入口側計量器３と出口側計量器１３の２台の計量器を設け、各計量器と対応して入口側操作ユニット８と出口側操作ユニット３８の２台の操作ユニットを設けた構成としたが、第２実施形態では、図４に示すように、１台の計量器１３を設け、この計量器１３と対応して１台の操作ユニット３８を設けた構成とした点、及び第１実施形態では、演算制御部１２が図３に示すフローチャートに従って処理を行うこととし、記憶部１０にはトラック１の各車番と対応するトラック１の重量（風袋重量）が記憶されていない構成としたが、第２実施形態では、演算制御部１２が図５に示すフローチャートに従って処理を行うこととし、記憶部１０にはトラック１の各車番と対応するトラック１の重量（風袋重量）が記憶されている構成とした点である。これ以外は、第１実施例と同等であり、同等部分は同一の図面符号で示し詳細な説明を省略する。
【００２７】
計量器は、図１に示す第１実施形態の出口側計量器１３と同等であり、操作ユニットは、図１に示す第１実施形態の出口側操作ユニット３８と同等であるので、夫々の詳細な説明を省略する。
【００２８】
次に、第２実施形態の車両積載物品計量装置の作用を図５に示すフローチャートを参照して説明する。この実施形態の車両積載物品計量装置は、各車番と対応するトラック１の重量（風袋重量）を演算制御部１２と接続する記憶部１０に記憶されているので、ごみ２を積載したトラック１の重量を１回計量するだけで、ごみ２の重量を演算して廃棄料金を演算することができるものである。
【００２９】
従って、図５に示すように、まず、運転者がごみ２を積載したトラック１を計量器１３上に進入させて操作ユニット３８のカード挿入口３８ａにカード１１を挿入すると（Ｓ１００、Ｓ１０２）、第１実施形態と同様に、カードリードライタがカード１１に記憶されている車番や積載物であるごみ２の種類等のカード情報を読み取ると共に、計量器１３がごみ２とトラック１の合計重量を計量して合計重量信号を生成し、これらカード情報及び合計重量信号を演算制御部１２に送信する（Ｓ１０４）。演算制御部１２は、この送信されたカード情報の車番と対応して記憶部１０に記憶されているトラック１の重量（風袋重量）を選択する（Ｓ２００）。そして、その受信したごみ２とトラック２との合計重量信号からその選択したトラック２のみの重量信号を減算してごみ２の重量、及び廃棄料金を演算し（Ｓ１１４、Ｓ１１６）、カード１１と演算制御部１２と接続する記憶部１０に記憶されている残金を第１実施形態と同様にして書き換えることができる（Ｓ１１８〜Ｓ１２２）。しかる後に、カード１１を受け取り、トラック１を計量器から退場させることができる。なお、ステップ１００〜ステップ１０４、及びステップ１１４〜ステップ１２８の処理は、第１実施形態と同等であるので同一のステップ番号を付して詳細な説明を省略する。
【００３０】
ただし、上記第１及び第２実施形態では、ステップ１２２において、今回の残金をカード１１と記憶部１０に記憶すると共に前回の残金をカード１１と記憶部１０から消去したが、この前回の残金をカード１１から消去するが、記憶部１０から消去せずに情報として残してもよい。これにより、ごみ処理請負者は、そのカード１１の使用者（ごみ処理依頼者）が支払ったごみ２の廃棄料金を過去に遡って確認することができ、カード１１と記憶部１０に記憶されている残金の不整合があった場合にその原因を調査することができる。
【００３１】
そして、ごみ処理依頼者が予め支払った料金からごみ２の廃棄料金を差し引いた残金をカード１１と記憶部１０の両方に記憶したが、カード１１と記憶部１０のうちいずれか一方に記憶してもよい。
【００３２】
また、上記第１及び第２実施形態によると、ごみ処理依頼者は、予めごみの廃棄料金を纏めてごみ処理請負者に支払い、その支払った料金から廃棄料金をその都度差し引くこととしたが、ごみ処理依頼者は、廃棄料金を予めごみ処理請負者に支払わず、ごみ処理依頼者がごみを持ち込む度に、演算制御部１２がそのごみ２の廃棄料金とそれまでの廃棄料金の合計金額を演算してその両方を、カード１１と記憶部１０の両方、又は記憶部１０に記憶させる構成としてもよい。そして、ごみ処理請負者は、予め定めた時に廃棄料金の合計金額をごみ処理依頼者に請求することとする。
【００３３】
更に、上記第１及び第２実施形態では、カード１１を入口側又は出口側操作ユニット８、３８のカード挿入口８ａ、３８ａに挿入した状態で、カード１１に記憶されている情報を読み取ったり、カード１１に残金等を書き込む構成としたが、非接触式のカードを使用する構成とすることができる。即ち、カード及び演算制御部１２側の両方に、アンテナ、送信機、及び受信機を設けて、カードのカード記憶部に記憶されている情報を、カードに設けた送信機によってアンテナから電波として送信し、この電波を演算制御部１２側に設けたアンテナと受信機を介して演算制御部１２が読み取ることができるようにする。また、演算制御部１２が演算した残金等の情報を、演算制御部１２側に設けた送信機によってアンテナから電波として送信し、この電波で送信される情報をカードに設けたアンテナと受信機を介してカードに書き込むことができるようにする。
【００３４】
第１の発明は、例えば料金を予め纏めて支払い、その纏めて支払った料金を記憶手段に記憶しておき、その記憶手段に記憶されている金額から物品に対する料金をその都度差し引くことにより精算することができる。第２の発明は、第１の発明に掛かる車両積載物品計量装置をごみ廃棄料金の精算に使用したものである。従って、本発明の車両積載物品計量装置によると、料金徴収機が不要であるので、コストが低く、メンテナンスが容易であり、人が現金を回収したり、収支の確認を行う必要がないので人件費の低減を図ったりすることができるという効果がある。更に、現場における現金の取り扱いを不要とするので、料金の精算手続の簡略化を図ることができる。
【図面の簡単な説明】
【図１】この発明の第１実施形態に係る車両積載物品計量装置の構成を示すブロック図である。
【図２】（ａ）は同第１実施形態に係る出口側操作ユニットの正面図、（ｂ）は同第１実施形態に係る入口側操作ユニットの正面図である。
【図３】同第１実施形態に係る車両積載物品計量装置の動作手順を示すフローチャートである。
【図４】同発明の第２実施形態に係る車両積載物品計量装置の構成を示すブロック図である。
【図５】同第２実施形態に係る車両積載物品計量装置の動作手順を示すフローチャートである。
【図６】従来のトラックスケール用データ処理装置の模式図である。
【図７】同従来のトラックスケール用データ処理装置の出口側操作ユニットの正面図である。
【図８】同従来のトラックスケール用データ処理装置に使用するパンチカードを示す図である。
【符号の説明】
１  トラック
２  ごみ
３  入口側計量器
８  入口側操作ユニット
１０  記憶部
１１  カード
１２  演算制御部
１３  出口側計量器
３８  出口側操作ユニット
【図１】
0003715050.tif 000002
【図２】
0003715050.tif 000003
【図３】
0003715050.tif 000004
【図４】
0003715050.tif 000005
【図５】
0003715050.tif 000006
【図６】
0003715050.tif 000007
【図７】
0003715050.tif 000008
【図８】
0003715050.tif 000009